【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
物体側より順に、第１レンズ群Ｇ１、絞り、及び第２レンズ群Ｇ２を有し、
前記第１レンズ群Ｇ１は、物体側より順にレンズ群Ｇ１Ｆと、レンズ群Ｇ１Ｒとで構成され、
前記第２レンズ群Ｇ２は、物体側より順に負の屈折力を有するレンズ群Ｇ２Ｆと、レンズ群Ｇ２Ｒとで構成され、
前記レンズ群Ｇ１Ｆは、複数の負の屈折力を有するレンズで構成され、
前記レンズ群Ｇ１Ｒは、１枚の正の屈折力を有するレンズで構成され、
前記レンズ群Ｇ２Ｆは、物体側より順に両凹レンズと両凸レンズとの接合レンズで構成され、
前記レンズ群Ｇ２Ｒは、１枚の正レンズで構成されていることを特徴とする広角レンズ。
【請求項２】
物体側より順に、第１レンズ群Ｇ１、絞り、及び第２レンズ群Ｇ２を有し、
前記第１レンズ群Ｇ１は、物体側より順にレンズ群Ｇ１Ｆと、レンズ群Ｇ１Ｒとで構成され、
前記第２レンズ群Ｇ２は、物体側より順にレンズ群Ｇ２Ｆと、レンズ群Ｇ２Ｒとで構成され、
前記レンズ群Ｇ１Ｆは、複数の負の屈折力を有するレンズで構成され、
前記レンズ群Ｇ１Ｒは、１枚の正の屈折力を有するレンズで構成され、
前記レンズ群Ｇ２Ｆは、物体側より順に両凹レンズと両凸レンズとの接合レンズで構成され、
前記レンズ群Ｇ２Ｒは、１枚の正レンズで構成され、
かつ、次の条件式を満足することを特徴とする広角レンズ。
０．４０＜φＧ２Ｒ／φ＜１．００              ・・・・(1)
但し、φＧ２Ｒはレンズ群Ｇ２Ｒの屈折力、φは全系の屈折力を示す。
【請求項３】
物体側より順に、第１レンズ群Ｇ１、絞り、及び第２レンズ群Ｇ２を有し、
前記第１レンズ群Ｇ１は、物体側より順にレンズ群Ｇ１Ｆと、レンズ群Ｇ１Ｒとで構成され、
前記第２レンズ群Ｇ２は、物体側より順にレンズ群Ｇ２Ｆと、レンズ群Ｇ２Ｒとで構成され、
前記レンズ群Ｇ１Ｆは、複数の負の屈折力を有するレンズで構成され、
前記レンズ群Ｇ１Ｒは、１枚の正の屈折力を有するレンズで構成され、
前記レンズ群Ｇ２Ｆは、物体側より順に両凹レンズと両凸レンズとの接合レンズで構成され、
前記レンズ群Ｇ２Ｒは、１枚の正レンズで構成され、
かつ、次の条件式を満足することを特徴とする広角レンズ。
０＜ｆＧ１／ｆ＜６．２                        ・・・・(2)
但し、ｆＧ１は第１レンズ群Ｇ１の焦点距離、ｆは全系の焦点距離を示す。
【請求項４】
物体側より順に、第１レンズ群Ｇ１、絞り、及び第２レンズ群Ｇ２を有し、
前記第１レンズ群Ｇ１は、物体側より順にレンズ群Ｇ１Ｆと、レンズ群Ｇ１Ｒとで構成され、
前記第２レンズ群Ｇ２は、物体側より順にレンズ群Ｇ２Ｆと、レンズ群Ｇ２Ｒとで構成され、
前記レンズ群Ｇ１Ｆは、複数の負の屈折力を有するレンズで構成され、
前記レンズ群Ｇ１Ｒは、１枚の正の屈折力を有するレンズで構成され、
前記レンズ群Ｇ２Ｆは、物体側より順に両凹レンズと両凸レンズとの接合レンズで構成され、
前記レンズ群Ｇ２Ｒは、１枚の正レンズで構成され、
かつ、次の条件式を満足することを特徴とする広角レンズ。
−０．８５＜φＧ１Ｆ／φ＜０                  ・・・・(3)
０＜ｆＧ２／ｆ＜２．１                        ・・・・(4)
但し、φＧ１Ｆはレンズ群Ｇ１Ｆの屈折力、φは全系の屈折力、ｆＧ２は第２レンズ群Ｇ２の焦点距離、ｆは全系の焦点距離を示す。
【請求項５】
前記レンズ群Ｇ１Ｆは、２枚または３枚の負の屈折力を有するレンズにより構成されていることを特徴とする請求項１乃至４の何れかに記載の広角レンズ。
【請求項６】
前記レンズ群Ｇ１Ｆは、複数の物体側に凸面を向けた負の屈折力を有するメニスカスレンズで構成されていることを特徴とする請求項１乃至５の何れかに記載の広角レンズ。
【請求項７】
前記レンズ群Ｇ１Ｒは像側に凸面を向けたメニスカス正レンズ又は平凸正レンズであることを特徴とする請求項１乃至４の何れかに記載の広角レンズ。
【請求項８】
遠距離物点から近距離物点へのフォーカシングを、前記レンズ群Ｇ１Ｆと前記レンズ群Ｇ１Ｒとの間隔を変化させることによって行なうようにしたことを特徴とする請求項１乃至４の何れかに記載の広角レンズ。
【請求項９】
前記レンズ群Ｇ１Ｒは、物体側に凸面を向けたメニスカス正レンズ又は凸平正レンズであることを特徴とする請求項１乃至４の何れかに記載の広角レンズ。
【請求項１０】
遠距離物点から近距離物点へのフォーカシングを、前記レンズ群Ｇ１Ｆのみを物体側へ移動することによって行なうことを特徴とする請求項８に記載の広角レンズ。
【請求項１１】
遠距離物点から近距離物点へのフォーカシングを、前記レンズ群Ｇ１Ｒのみを像側へ移動することによって行なうことを特徴とする請求項８に記載の広角レンズ。
【請求項１２】
少なくとも１つの面を、レンズの屈折力が中心から周辺へ行くにしたがって弱くなるような非球面形状で構成したことを特徴とする請求項１乃至１１の何れかに記載の広角レンズ。
【請求項１３】
前記レンズ群Ｇ２Ｒ中の少なくとも１つの面を非球面で構成したことを特徴とする請求項１２に記載の広角レンズ。
【請求項１４】
前記レンズ群Ｇ１Ｆ中の少なくとも１つの面を非球面で構成したことを特徴とする請求項１２に記載の広角レンズ。
【請求項１５】
前記レンズ群Ｇ１Ｆ中の少なくとも１つの面を非球面で構成すると同時に、前記レンズ群Ｇ２Ｒ中の少なくとも１つの面を非球面で構成したことを特徴とする請求項１２に記載の広角レンズ。
【請求項１６】
物体側より順に、第１レンズ群Ｇ１、絞り、及び第２レンズ群Ｇ２を有し、前記第１レンズ群Ｇ１は、物体側より順にレンズ群Ｇ１Ｆと、レンズ群Ｇ１Ｒとで構成され、前記第２レンズ群Ｇ２は、物体側より順にレンズ群Ｇ２Ｆと、レンズ群Ｇ２Ｒとで構成され、前記レンズ群Ｇ１Ｆは、負の屈折力を有するレンズ、または接合負レンズにより構成され、前記レンズ群Ｇ１Ｒは、１枚の正の屈折力を有するレンズ、または接合正レンズで構成され、前記レンズ群Ｇ２Ｆは、物体側より順に両凹レンズと両凸レンズとの接合レンズで構成され、前記レンズ群Ｇ２Ｒは、１枚の正レンズ、または接合正レンズで構成され、遠距離物点から近距離物点へのフォーカシングを、前記レンズ群Ｇ１Ｆのみを物体側へ移動することによって行なうようにしたことを特徴とする広角レンズ。
【請求項１７】
物体側より順に、第１レンズ群Ｇ１、絞り、及び第２レンズ群Ｇ２を有し、前記第１レンズ群Ｇ１は、物体側より順にレンズ群Ｇ１Ｆと、レンズ群Ｇ１Ｒとで構成され、前記第２レンズ群Ｇ２は、物体側より順にレンズ群Ｇ２Ｆと、レンズ群Ｇ２Ｒとで構成され、前記レンズ群Ｇ１Ｆは、負の屈折力を有するレンズ、または接合負レンズにより構成され、前記レンズ群Ｇ１Ｒは、１枚の正の屈折力を有するレンズ、または接合正レンズで構成され、前記レンズ群Ｇ２Ｆは、物体側より順に両凹レンズと両凸レンズとの接合レンズで構成され、前記レンズ群Ｇ２Ｒは、１枚の正レンズ、または接合正レンズで構成され、遠距離物点から近距離物点へのフォーカシングを、前記レンズ群Ｇ１Ｒのみを像側へ移動することによって行なうようにしたことを特徴とする広角レンズ。
【請求項１８】
前記第１レンズ群Ｇ１と前記レンズ群Ｇ２Ｒにおけるレンズは、すべて独立した単レンズであることを特徴とする請求項１乃至１７の何れかに記載の広角レンズ。
【手続補正２】
【補正対象書類名】明細書
【補正対象項目名】０００４
【補正方法】変更
【補正の内容】
【０００４】
【課題を解決するための手段】
上記目的を達成するために、請求項１に記載の本発明の広角レンズは、物体側より順に、第１レンズ群Ｇ１、絞り、及び第２レンズ群Ｇ２を有し、前記第１レンズ群Ｇ１は、物体側より順にレンズ群Ｇ１Ｆと、レンズ群Ｇ１Ｒとで構成され、前記第２レンズ群Ｇ２は、物体側より順に負の屈折力を有するレンズ群Ｇ２Ｆと、レンズ群Ｇ２Ｒとで構成され、前記レンズ群Ｇ１Ｆは、複数の負の屈折力を有するレンズで構成され、前記レンズ群Ｇ１Ｒは、１枚の正の屈折力を有するレンズで構成され、前記レンズ群Ｇ２Ｆは、物体側より順に両凹レンズと両凸レンズとの接合レンズで構成され、前記レンズ群Ｇ２Ｒは、１枚の正レンズで構成されていることを特徴とする。
なお、前記レンズ群Ｇ１Ｆを構成する負レンズは負の単レンズでも接合負レンズでもよい。また前記レンズ群Ｇ１Ｒ，Ｇ２Ｒを構成する正レンズは正の単レンズでも接合正レンズでもよい。
【手続補正３】
【補正対象書類名】明細書
【補正対象項目名】０００５
【補正方法】変更
【補正の内容】
【０００５】
また、請求項２に記載の本発明の広角レンズは、物体側より順に、第１レンズ群Ｇ１、絞り、及び第２レンズ群Ｇ２を有し、前記第１レンズ群Ｇ１は、物体側より順にレンズ群Ｇ１Ｆと、レンズ群Ｇ１Ｒとで構成され、前記第２レンズ群Ｇ２は、物体側より順にレンズ群Ｇ２Ｆと、レンズ群Ｇ２Ｒとで構成され、前記レンズ群Ｇ１Ｆは、複数の負の屈折力を有するレンズで構成され、前記レンズ群Ｇ１Ｒは、１枚の正の屈折力を有するレンズで構成され、前記レンズ群Ｇ２Ｆは、物体側より順に両凹レンズと両凸レンズとの接合レンズで構成され、前記レンズ群Ｇ２Ｒは、１枚の正レンズで構成され、かつ、次の条件式を満足することを特徴とする。
０．４０＜φＧ２Ｒ／φ＜１．００              ・・・・・(1)
但し、φＧ２Ｒはレンズ群Ｇ２Ｒの屈折力、φは全系の屈折力を示す。
なお、前記レンズ群Ｇ１Ｆを構成する負レンズは負の単レンズでも接合負レンズでもよい。また前記レンズ群Ｇ１Ｒ，Ｇ２Ｒを構成する正レンズは正の単レンズでも接合正レンズでもよい。
【手続補正４】
【補正対象書類名】明細書
【補正対象項目名】０００６
【補正方法】変更
【補正の内容】
【０００６】
また、請求項３に記載の本発明の広角レンズは、物体側より順に、第１レンズ群Ｇ１、絞り、及び第２レンズ群Ｇ２を有し、前記第１レンズ群Ｇ１は、物体側より順にレンズ群Ｇ１Ｆと、レンズ群Ｇ１Ｒとで構成され、前記第２レンズ群Ｇ２は、物体側より順にレンズ群Ｇ２Ｆと、レンズ群Ｇ２Ｒとで構成され、前記レンズ群Ｇ１Ｆは、複数の負の屈折力を有するレンズで構成され、前記レンズ群Ｇ１Ｒは、１枚の正の屈折力を有するレンズで構成され、前記レンズ群Ｇ２Ｆは、物体側より順に両凹レンズと両凸レンズとの接合レンズで構成され、前記レンズ群Ｇ２Ｒは、１枚の正レンズで構成され、かつ、次の条件式を満足することを特徴とする広角レンズ。
０＜ｆＧ１／ｆ＜６．２                        ・・・・・(2)
但し、ｆＧ１は第１レンズ群Ｇ１の焦点距離、ｆは全系の焦点距離を示す。
なお、前記レンズ群Ｇ１Ｆを構成する負レンズは負の単レンズでも接合負レンズでもよい。また前記レンズ群Ｇ１Ｒ，Ｇ２Ｒを構成する正レンズは正の単レンズでも接合正レンズでもよい。
【手続補正５】
【補正対象書類名】明細書
【補正対象項目名】０００７
【補正方法】変更
【補正の内容】
【０００７】
また、請求項４に記載の本発明の広角レンズは、物体側より順に、第１レンズ群Ｇ１、絞り、及び第２レンズ群Ｇ２を有し、前記第１レンズ群Ｇ１は、物体側より順にレンズ群Ｇ１Ｆと、レンズ群Ｇ１Ｒとで構成され、前記第２レンズ群Ｇ２は、物体側より順にレンズ群Ｇ２Ｆと、レンズ群Ｇ２Ｒとで構成され、前記レンズ群Ｇ１Ｆは、複数の負の屈折力を有するレンズで構成され、前記レンズ群Ｇ１Ｒは、１枚の正の屈折力を有するレンズで構成され、前記レンズ群Ｇ２Ｆは、物体側より順に両凹レンズと両凸レンズとの接合レンズで構成され、前記レンズ群Ｇ２Ｒは、１枚の正レンズで構成され、かつ、次の条件式を満足することを特徴とする。
−０．８５＜φＧ１Ｆ／φ＜０              ・・・・・(3)
０＜ｆＧ２／ｆ＜２．１                    ・・・・・(4)
但し、φＧ１Ｆはレンズ群Ｇ１Ｆの屈折力、φは全系の屈折力、ｆＧ２は第２レンズ群Ｇ２の焦点距離、ｆは全系の焦点距離を示す。
なお、前記レンズ群Ｇ１Ｆを構成する負レンズは負の単レンズでも接合負レンズでもよい。また前記レンズ群Ｇ１Ｒ，Ｇ２Ｒを構成する正レンズは正の単レンズでも接合正レンズでもよい。
また、請求項５に記載の本発明の広角レンズは、前記レンズ群Ｇ１Ｆは、２枚または３枚の負の屈折力を有するレンズにより構成されていることを特徴とする。
また、請求項６に記載の本発明の広角レンズは、前記レンズ群Ｇ１Ｆは、複数の物体側に凸面を向けた負の屈折力を有するメニスカスレンズで構成されていることを特徴とする。
また、請求項７に記載の本発明の広角レンズは、前記レンズ群Ｇ１Ｒは像側に凸面を向けたメニスカス正レンズ又は平凸正レンズであることを特徴とする。
また、請求項８に記載の本発明の広角レンズは、遠距離物点から近距離物点へのフォーカシングを、前記レンズ群Ｇ１Ｆと前記レンズ群Ｇ１Ｒとの間隔を変化させることによって行なうようにしたことを特徴とする。
また、請求項９に記載の本発明の広角レンズは、前記レンズ群Ｇ１Ｒは、物体側に凸面を向けたメニスカス正レンズ又は凸平正レンズであることを特徴とする。
また、請求項１０に記載の本発明の広角レンズは、遠距離物点から近距離物点へのフォーカシングを、前記レンズ群Ｇ１Ｆのみを物体側へ移動することによって行なうことを特徴とする。
また、請求項１１に記載の本発明の広角レンズは、遠距離物点から近距離物点へのフォーカシングを、前記レンズ群Ｇ１Ｒのみを像側へ移動することによって行なうことを特徴とする。
また、請求項１２に記載の本発明の広角レンズは、少なくとも１つの面を、レンズの屈折力が中心から周辺へ行くにしたがって弱くなるような非球面形状で構成したことを特徴とする。
また、請求項１３に記載の本発明の広角レンズは、前記レンズ群Ｇ２Ｒ中の少なくとも１つの面を非球面で構成したことを特徴とする。
また、請求項１４に記載の本発明の広角レンズは、前記レンズ群Ｇ１Ｆ中の少なくとも１つの面を非球面で構成したことを特徴とする。
また、請求項１５に記載の本発明の広角レンズは、前記レンズ群Ｇ１Ｆ中の少なくとも１つの面を非球面で構成すると同時に、前記レンズ群Ｇ２Ｒ中の少なくとも１つの面を非球面で構成したことを特徴とする。
また、請求項１６に記載の本発明の広角レンズは、物体側より順に、第１レンズ群Ｇ１、絞り、及び第２レンズ群Ｇ２を有し、前記第１レンズ群Ｇ１は、物体側より順にレンズ群Ｇ１Ｆと、レンズ群Ｇ１Ｒとで構成され、前記第２レンズ群Ｇ２は、物体側より順にレンズ群Ｇ２Ｆと、レンズ群Ｇ２Ｒとで構成され、前記レンズ群Ｇ１Ｆは、負の屈折力を有するレンズ、または接合負レンズにより構成され、前記レンズ群Ｇ１Ｒは、１枚の正の屈折力を有するレンズ、または接合正レンズで構成され、前記レンズ群Ｇ２Ｆは、物体側より順に両凹レンズと両凸レンズとの接合レンズで構成され、前記レンズ群Ｇ２Ｒは、１枚の正レンズ、または接合正レンズで構成され、遠距離物点から近距離物点へのフォーカシングを、前記レンズ群Ｇ１Ｆのみを物体側へ移動することによって行なうようにしたことを特徴とする。
また、請求項１７に記載の本発明の広角レンズは、物体側より順に、第１レンズ群Ｇ１、絞り、及び第２レンズ群Ｇ２を有し、前記第１レンズ群Ｇ１は、物体側より順にレンズ群Ｇ１Ｆと、レンズ群Ｇ１Ｒとで構成され、前記第２レンズ群Ｇ２は、物体側より順にレンズ群Ｇ２Ｆと、レンズ群Ｇ２Ｒとで構成され、前記レンズ群Ｇ１Ｆは、負の屈折力を有するレンズ、または接合負レンズにより構成され、前記レンズ群Ｇ１Ｒは、１枚の正の屈折力を有するレンズ、または接合正レンズで構成され、前記レンズ群Ｇ２Ｆは、物体側より順に両凹レンズと両凸レンズとの接合レンズで構成され、前記レンズ群Ｇ２Ｒは、１枚の正レンズ、または接合正レンズで構成され、遠距離物点から近距離物点へのフォーカシングを、前記レンズ群Ｇ１Ｒのみを像側へ移動することによって行なうようにしたことを特徴とする。
更に、請求項１８に記載の本発明の広角レンズは、前記第１レンズ群Ｇ１と前記レンズ群Ｇ２Ｒにおけるレンズは、すべて独立した単レンズであることを特徴とする。
【手続補正６】
【補正対象書類名】明細書
【補正対象項目名】０００８
【補正方法】変更
【補正の内容】
【０００８】
【発明の実施の形態】
実施例の説明に先立ち、本発明の作用効果について説明する。
第１レンズ群Ｇ１の最も物体側に負の屈折力を有するレンズからなるレンズ群Ｇ１Ｆを配置し、レンズ群Ｇ１Ｆの像側に正の屈折力を有するレンズからなるレンズ群Ｇ１Ｒを配置することにより、主点位置を後方へシフトし、広角化および長いバックフォーカスを得るのに有利な構成になる。また、レンズ群Ｇ１Ｆを複数の負の屈折力のレンズで構成することで、負の屈折力を持つレンズ１枚あたりの収差補正にかかる負担を軽減し、より効果的に諸収差、特に歪曲収差、コマ収差を補正することができる。
レンズ群Ｇ２Ｆを両凹レンズと両凸レンズとの接合レンズで構成することにより、倍率の色収差を効果的に補正することができる。また、両凹レンズと両凸レンズとを接合することにより偏心による性能劣化を小さく抑えることができる。
また、レンズ群Ｇ２Ｆに負の屈折力を持たせることにより、光線を高く導き、広画角化および長いバックフォーカスに対応させることができるとともに、正レンズで構成されるレンズ群Ｇ２Ｒとの組合せにより、射出瞳位置を像面から物体側へ引き離し、像面に入射する光線とレンズ系光軸とのなす角をちいさくするように作用させることができる。
【手続補正７】
【補正対象書類名】明細書
【補正対象項目名】００２１
【補正方法】変更
【補正の内容】
【００２１】
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、物体側に凸面を向けた１枚の凸平正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
また、本実施例では条件式(1) 〜(4) を総て満たしている。
また、遠距離物点から近距離物点へのフォーカシングを、レンズ群Ｇ１Ｆのみを物体側へ移動させて、レンズ群Ｇ１Ｆとレンズ群Ｇ１Ｒとの間隔を変化させることによって行うように構成されている。
また、本実施例は上記フォーカシングを、物体側への全体繰り出し（第１レンズ群Ｇ１、絞りＳ、第２レンズ群Ｇ２の全体を移動させる）によって行うこともできる。
また、レンズ群Ｇ１Ｆ、レンズ群Ｇ２Ｒは、それぞれ一つの面が非球面で構成されており、屈折力が中心から周辺へ行くにしたがって弱くなっている。
なお、図中、Ｌ１は光学的ローパスフィルタ、Ｌ２は赤外カットフィルタ、Ｌ３はＣＣＤのカバーガラス、Ｉは像面を示している。
【手続補正８】
【補正対象書類名】明細書
【補正対象項目名】００２５
【補正方法】変更
【補正の内容】
【００２５】
第２実施例
図５は本発明による広角レンズの第２実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、両面とも凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正９】
【補正対象書類名】明細書
【補正対象項目名】００２８
【補正方法】変更
【補正の内容】
【００２８】
第３実施例
図６は本発明による広角レンズの第３実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、両面とも凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正１０】
【補正対象書類名】明細書
【補正対象項目名】００３１
【補正方法】変更
【補正の内容】
【００３１】
第４実施例
図７は本発明による広角レンズの第４実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、物体側に凸面を向けた１枚の凸平正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正１１】
【補正対象書類名】明細書
【補正対象項目名】００３４
【補正方法】変更
【補正の内容】
【００３４】
第５実施例
図８は本発明による広角レンズの第５実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、物体側に凸面を向けた１枚のメニスカス正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆを構成する複数のメニスカスレンズ、レンズ群Ｇ２Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正１２】
【補正対象書類名】明細書
【補正対象項目名】００３７
【補正方法】変更
【補正の内容】
【００３７】
第６実施例
図９は本発明による広角レンズの第６実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に正の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(2) 〜(4) を満たしているが、条件式(1) は満たしていない。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正１３】
【補正対象書類名】明細書
【補正対象項目名】００４０
【補正方法】変更
【補正の内容】
【００４０】
第７実施例
図１０は本発明による広角レンズの第７実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正１４】
【補正対象書類名】明細書
【補正対象項目名】００４３
【補正方法】変更
【補正の内容】
【００４３】
第８実施例
図１１は本発明による広角レンズの第８実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に正の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) ，(3) ，(4) を満たしているが、条件式(2) は満たしていない。
また、レンズ群Ｇ２Ｒは、一つの面が非球面で構成されているが、レンズ群Ｇ１Ｆは、いずれの面も非球面形状にはなっていない。
なお、図中、Ｌ１は光学的ローパスフィルタ、Ｌ２は赤外カットフィルタ、Ｌ３はＣＣＤのカバーガラス、Ｉは像面を示している。
【手続補正１５】
【補正対象書類名】明細書
【補正対象項目名】００４６
【補正方法】変更
【補正の内容】
【００４６】
第９実施例
図１２は本発明による広角レンズの第９実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｒ、レンズ群Ｇ２Ｒは、それぞれ一つの面が非球面で構成されているが、レンズ群Ｇ１Ｆは、いずれの面も非球面形状にはなっていない。
なお、図中、Ｌ１は光学的ローパスフィルタ、Ｌ２は赤外カットフィルタ、Ｌ３はＣＣＤのカバーガラス、Ｉは像面を示している。
【手続補正１６】
【補正対象書類名】明細書
【補正対象項目名】００４９
【補正方法】変更
【補正の内容】
【００４９】
第１０実施例
図１３は本発明による広角レンズの第１０実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) ，(3) ，(4) を満たしているが、条件式(2) は満たしていない。
また、遠距離物点から近距離物点へのフォーカシングを、レンズ群Ｇ１Ｒを像側へ移動させて、レンズ群Ｇ１Ｆとレンズ群Ｇ１Ｒとの間隔及びレンズ群Ｇ１Ｒとレンズ群Ｇ２Ｆとの間隔を変化させることによって行うように構成されている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正１７】
【補正対象書類名】明細書
【補正対象項目名】００５２
【補正方法】変更
【補正の内容】
【００５２】
第１１実施例
図１４は本発明による広角レンズの第１１実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、像側に凸面を向けた１枚の平凸正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) ，(3) ，(4) を満たしているが、条件式(2) は満たしていない。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正１８】
【補正対象書類名】明細書
【補正対象項目名】００５５
【補正方法】変更
【補正の内容】
【００５５】
第１２実施例
図１５は本発明による広角レンズの第１２実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた３枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) の総てを満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正１９】
【補正対象書類名】明細書
【補正対象項目名】００５８
【補正方法】変更
【補正の内容】
【００５８】
第１３実施例
図１６は本発明による広角レンズの第１３実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負レンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) の総てを満たしている。
また、遠距離物点から近距離物点へのフォーカシングを、レンズ群Ｇ１Ｆを物体側へ移動させると共にレンズ群Ｇ１Ｒを像側へ移動させて、レンズ群Ｇ１Ｆとレンズ群Ｇ１Ｒとの間隔及びレンズ群Ｇ１Ｒとレンズ群Ｇ２Ｆとの間隔を変化させることによって行うように構成されている。
また、本実施例は上記フォーカシングを、物体側への全体繰り出し（第１レンズ群Ｇ１、絞りＳ、第２レンズ群Ｇ２の全体を移動させる）によって行うこともできる。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正２０】
【補正対象書類名】明細書
【補正対象項目名】００６１
【補正方法】変更
【補正の内容】
【００６１】
第１４実施例
図１７は本発明による広角レンズの第１４実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負レンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) の総てを満たしている。
また、遠距離物点から近距離物点へのフォーカシングを、レンズ群Ｇ１Ｆのみを物体側へ移動させて、レンズ群Ｇ１Ｆとレンズ群Ｇ１Ｒとの間隔を変化させることによって行うように構成されている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【手続補正２１】
【補正対象書類名】明細書
【補正対象項目名】００６４
【補正方法】変更
【補正の内容】
【００６４】
第１５実施例
図１８は本発明による広角レンズの第１５実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、像側に凸面を向けたメニスカス正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) の総てを満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。